(57)【特許請求の範囲】
【請求項１】
内壁（５０）と外壁（５１）とから壁が構成された建築物の内壁（５０）に形成された壁穴（５５）に取り付けることが可能な、前面が開放された箱形状の本体（２）と、
本体（２）の左右の各側面（４）の外面に取り付けられたフランジ部（５）と、
前後方向に配置された一対の前端部（７ａ）と後端部（７ｂ）とを有する固定本体部（７）と、固定本体部（７）の後端部（７ｂ）に形成されたねじ穴と螺合する軸部（８ａ）と、軸部（８ａ）の先端部に設けられた押圧部（８ｂ）とを有する調節ボルト（８）と、からなる一対の調節固定部材（６）と、
フランジ部（５）と固定本体部（７）との間に設けられ、互いに当接して押圧接着されるようになっている一対の面ファスナー（９、１０）であって、一方の面ファスナー（９）はフランジ部（５）側に取り付けられており、他方の面ファスナー（１０）は固定本体部（７）側に取り付けられている、一対の面ファスナー（９、１０）と、を備え、
調節ボルト（８）の押圧部（８ｂ）と固定本体部（７）の前端部（７ａ）との間に内壁（５０）の壁穴（５５）の縁部分（５０ａ）を挿入した状態で、調節ボルト（８）の締め付けによって押圧部（８ｂ）と、固定本体部（７）の前端部（７ａ）との協働によって前記縁部分（５０ａ）を挟持し、その後、面ファスナー（９）と面ファスナー（１０）とが互いに当接して押圧接着されるまで、内壁（５０）に形成された壁穴（５５）に対して本体（２）の背面側を挿入することにより、本体（２）の背面側を内壁（５０）に形成された壁穴（５５）に埋め込んで固定することができることを特徴とする、埋め込み型仏壇。
【請求項２】
請求項１記載の埋め込み型仏壇において、
本体（２）の背面と外壁（５１）の内側面との間に間隙（５２）が形成されるように、本体（２）の背面側を壁穴（５５）に埋め込んで固定されていることとを特徴とする、埋め込み型仏壇。
【請求項３】
請求項１又は２記載の埋め込み型仏壇において、
内壁（５０）の内側面から埋め込み方向に向いた本体（２）の背面側の壁穴（５５）への埋め込み量は、埋め込み型仏壇（１）の奥行寸法の略１／４乃至１／２の範囲になるように設定されていることを特徴とする、埋め込み型仏壇。
【請求項４】
請求項３記載の埋め込み型仏壇において、
内壁（５０）の内側面から埋め込み方向に向いた本体（２）の背面側の壁穴（５５）への埋め込み量は、埋め込み型仏壇（１）の奥行寸法の略１／３に設定されていることを特徴とする、埋め込み型仏壇。
【請求項５】
請求項１乃至４のうちのいずれか一つに記載の埋め込み型仏壇において、
本体（２）の前面には、扉（３）が取り付けられており、
扉（３）は、建築物の内壁（５０）の壁面インテリアとして体を成していることを特徴とする、埋め込み型仏壇。
【請求項６】
請求項５記載の埋め込み型仏壇において、
扉（３）は、左側扉（３ａ）と右側扉（３ｂ）とで構成されており、
左側扉（３ａ）と右側扉（３ｂ）は、蝶番（１３）によりフランジ部（５）に回動可能にそれぞれ取り付けられており、左側扉（３ａ）と右側扉（３ｂ）は、蝶番（１３）を中心にして回動して開閉することができることを特徴とする、埋め込み型仏壇。
【請求項７】
請求項６記載の埋め込み型仏壇において、
左側扉（３ａ）及び右側扉（３ｂ）は、それぞれ略９０度回動するようになっていることを特徴とする、埋め込み型仏壇。
【請求項８】
請求項１乃至７のうちのいずれか一つに記載の埋め込み型仏壇において、
本体（２）の内部には、前後方向に摺動可能なスライド棚（１６）が設けられていることを特徴とする、埋め込み型仏壇。
【請求項９】
請求項８記載の埋め込み型仏壇において、
スライド棚（１６）には、ストッパー（１９）が設けられ、ストッパー（１９）は、本体（２）に設けられた係止部（２０）に係合するようになっており、
ストッパー（１９）が係止部（２０）に係合することにより、スライド棚（１６）の前方方向へのスライド移動が防止されるようになっていることを特徴とする、埋め込み型仏壇。
【請求項１０】
請求項９記載の埋め込み型仏壇において、
スライド棚（１６）は、ストッパー（１９）と係止部（２０）の係合により、前方方向へのスライド移動量が９０ｍｍに設定されていることを特徴とする、埋め込み型仏壇。
【請求項１１】
請求項８乃至１０のうちのいずれか一つに記載の埋め込み型仏壇において、
本体（２）の内部には、固定棚（１５）及び／又は脱着可能な収納ボックス（１７）が設けられていることを特徴とする、埋め込み型仏壇。
【発明の詳細な説明】
【技術分野】
【０００１】
本発明は、建築物内部の壁面の一部を刳り貫いて、その刳り貫いた部分に、仏壇の筐体の一部を埋め込んで設置することができる埋め込み型（ウォールイン）仏壇に関するものである。
【背景技術】
【０００２】
従来において、仏壇は、仏間、床の間、洋間等の居間などにおいて、仏壇の底面全体を床などの面上に設置することにより配置されているものが知られている（例えば、特許文献１、非特許文献１参照。）。
【先行技術文献】
【特許文献】
【０００３】
【特許文献１】特開２０１４−２０７９２８号公報
【非特許文献】
【０００４】
【非特許文献１】http://www.zenbutu.com/aboutbu/bu-secchi.htm
【発明の概要】
【発明が解決しようとする課題】
【０００５】
しかしながら、従来における仏壇は、仏壇の底面全体を床などの面上に単に設置することにより配置されているために、以下のような問題を有している。すなわち、従来における仏壇は、（１）設置スペースが仏壇全体の容積を必要としなければならないため、仏壇が設置された居間などの利用スペースを狭くしてしまうという問題、（２）地震等の振動によって転倒する危険性があるという問題、（３）地震等の振動によって倒れるのを防止するためには、別途転倒防止器具を具備する必要があるという問題、等の種々の問題を有している。
【０００６】
本発明は、上述のような従来技術の問題点に鑑みてなされたものであり、建築物内部の壁面の一部を刳り貫いて、その刳り貫いた部分に、仏壇の筐体の一部を埋め込んで固定設置することにより、奥行寸法の出っ張りを従来の仏壇の設置よりも縮小して、仏壇が設置された居間などの利用スペースを従来よりも大きくすることができ、また、別途転倒防止器具を必要とせずに地震等の振動によって転倒する危険性を防止することができる、埋め込み型（ウォールイン）仏壇を提供することを目的とする。
【課題を解決するための手段】
【０００７】
本発明は、
内壁（５０）と外壁（５１）とから壁が構成された建築物の内壁（５０）に形成された壁穴（５５）に取り付けることが可能な、前面が開放された箱形状の本体（２）と、
本体（２）の左右の各側面（４）の外面に取り付けられたフランジ部（５）と、
前後方向に配置された一対の前端部（７ａ）と後端部（７ｂ）とを有する固定本体部（７）と、固定本体部（７）の後端部（７ｂ）に形成されたねじ穴と螺合する軸部（８ａ）と、軸部（８ａ）の先端部に設けられた押圧部（８ｂ）とを有する調節ボルト（８）と、からなる一対の調節固定部材（６）と、
フランジ部（５）と固定本体部（７）との間に設けられ、互いに当接して押圧接着されるようになっている一対の面ファスナー（９、１０）であって、一方の面ファスナー（９）はフランジ部（５）側に取り付けられており、他方の面ファスナー（１０）は固定本体部（７）側に取り付けられている、一対の面ファスナー（９、１０）と、を備え、
調節ボルト（８）の押圧部（８ｂ）と固定本体部（７）の前端部（７ａ）との間に内壁（５０）の壁穴（５５）の縁部分（５０ａ）を挿入した状態で、調節ボルト（８）の締め付けによって押圧部（８ｂ）と、固定本体部（７）の前端部（７ａ）との協働によって前記縁部分（５０ａ）を挟持し、その後、面ファスナー（９）と面ファスナー（１０）とが互いに当接して押圧接着されるまで、内壁（５０）に形成された壁穴（５５）に対して本体（２）の背面側を挿入することにより、本体（２）の背面側を内壁（５０）に形成された壁穴（５５）に埋め込んで固定することができることを特徴とする、埋め込み型仏壇を提供する。
【０００８】
また、本体（２）の背面と外壁（５１）の内側面との間に間隙（５２）が形成されるように、本体（２）の背面側を壁穴（５５）に埋め込んで固定されている。この場合、内壁（５０）の内側面から埋め込み方向に向いた本体（２）の背面側の壁穴（５５）への埋め込み量は、埋め込み型仏壇（１）の奥行寸法の略１／４乃至１／２の範囲になるように設定されることができ、好ましくは、埋め込み型仏壇（１）の奥行寸法の略１／３に設定されている。
【０００９】
また、本体（２）の前面には、扉（３）が取り付けられており、扉（３）は、建築物の内壁（５０）の壁面インテリアとして体を成している。扉（３）は、左側扉（３ａ）と右側扉（３ｂ）とで構成されることができ、左側扉（３ａ）と右側扉（３ｂ）は、蝶番（１３）によりフランジ部（５）に回動可能にそれぞれ取り付けられており、左側扉（３ａ）と右側扉（３ｂ）は、蝶番（１３）を中心にして回動して開閉することができるようになっている。例えば、左側扉（３ａ）及び右側扉（３ｂ）は、それぞれ略９０度回動するように設定することができる。
【００１０】
また、本体（２）の内部には、前後方向に摺動可能なスライド棚（１６）を設けることができる。スライド棚（１６）には、ストッパー（１９）が設けられ、ストッパー（１９）は、本体（２）に設けられた係止部（２０）に係合するようになっており、ストッパー（１９）が係止部（２０）に係合することにより、スライド棚（１６）の前方方向へのスライド移動が防止されるようになっている。さらに、スライド棚（１６）は、ストッパー（１９）と係止部（２０）の係合により、前方方向へのスライド移動量が９０ｍｍに設定されることができる。
【００１１】
さらに、本体（２）の内部には、固定棚（１５）及び／又は脱着可能な収納ボックス（１７）を設けることができる。
【発明の効果】
【００１２】
本発明によれば、内壁（５０）と外壁（５１）とから壁が構成された建築物の内壁（５０）に形成された壁穴（５５）に取り付けることが可能な、前面が開放された箱形状の本体（２）と、
本体（２）の左右の各側面（４）の外面に取り付けられたフランジ部（５）と、
前後方向に配置された一対の前端部（７ａ）と後端部（７ｂ）とを有する固定本体部（７）と、固定本体部（７）の後端部（７ｂ）に形成されたねじ穴と螺合する軸部（８ａ）と、軸部（８ａ）の先端部に設けられた押圧部（８ｂ）とを有する調節ボルト（８）と、からなる一対の調節固定部材（６）と、
フランジ部（５）と固定本体部（７）との間に設けられ、互いに当接して押圧接着されるようになっている一対の面ファスナー（９、１０）であって、一方の面ファスナー（９）はフランジ部（５）側に取り付けられており、他方の面ファスナー（１０）は固定本体部（７）側に取り付けられている、一対の面ファスナー（９、１０）と、を備え、
調節ボルト（８）の押圧部（８ｂ）と固定本体部（７）の前端部（７ａ）との間に内壁（５０）の壁穴（５５）の縁部分（５０ａ）を挿入した状態で、調節ボルト（８）の締め付けによって押圧部（８ｂ）と、固定本体部（７）の前端部（７ａ）との協働によって前記縁部分（５０ａ）を挟持し、その後、面ファスナー（９）と面ファスナー（１０）とが互いに当接して押圧接着されるまで、内壁（５０）に形成された壁穴（５５）に対して本体（２）の背面側を挿入することにより、本体（２）の背面側を内壁（５０）に形成された壁穴（５５）に埋め込んで固定するようになっているため、従来の仏壇の設置に比べて、奥行寸法の出っ張りを小さくすることができ、もって、仏壇が設置された居間などの利用スペースを従来よりも大きくすることができる。また、仏壇は、本体の背面が建築物の内壁に形成された壁穴に埋め込まれて固定されているため、別途転倒防止器具を必要とせずに地震等の振動によって転倒する危険性を防止することができる。
【図面の簡単な説明】
【００１３】
【図１】図１は、本発明にかかる埋め込み型仏壇を示す概略的な全体斜視図である。
【図２】図２は、本発明にかかる埋め込み型仏壇の前面図である。
【図３】図３は、本発明にかかる埋め込み型仏壇の前面図である。
【図４】図４は、本発明にかかる埋め込み型仏壇の本体の内壁への取り付けのための左右一対の取り付け構造を示す平面図である。
【図５】図５は、図４に示す左右一対の取り付け構造の右側の取り付け構造を示す部分拡大平面図である。
【図６】図６は、本発明にかかる埋め込み型仏壇に適用可能なスライド棚の一例を示す概略斜視図である。
【図７】図７は、本発明にかかる埋め込み型仏壇に適用可能なスライド棚の一例を示す概略側面図である。
【発明を実施するための形態】
【００１４】
以下、本発明にかかる埋め込み型（ウォールイン）仏壇を実施するための最良の形態について図面を参照しながら述べる。図１には、本発明にかかる埋め込み型仏壇１の概略的な全体斜視図を示している。図１及び図４に示されるように、仏壇１は、内壁５０と外壁５１とから壁が構成された建築物の内壁５０に壁穴５５を形成し、この壁穴５５に仏壇１の本体２の背面側を埋め込んで固定するようになっているものである。壁穴５５の高さは、使用者の所望の高さに応じて任意に設定することができる。
【００１５】
本体２は、上下方向（仏壇１の高さの上下方向）に長い箱形状に形成されており、前面が開放されている。この本体２内には、安置物、仏飯器、茶台、香炉、燭台などの仏具等が収納されるようになっている。また、仏壇１の本体２の上面には、本体２の内部空間に照明を当てるためのＬＥＤ照明器具１１及び電源のＯＮ、ＯＦＦを切り替える照明スイッチ１２が設けられている。
【００１６】
また、本体２の前面には、扉３が取り付けられている。扉３は、左側扉３ａと右側扉３ｂとで構成されており、左側扉３ａ及び右側扉３ｂは、後述するように蝶番（図４及び図５において符号１３で示す）を中心にしていわゆる観音開きのように回動して開閉することができるようになっている。図２には、左側扉３ａと右側扉３ｂが共に閉じられた状態の仏壇１の概略前面図を示しており、図３には、左側扉３ａと右側扉３ｂが共に全開された状態の仏壇１の概略前面図を示している。
【００１７】
図４は、本体２の内壁５０への取り付けのための左右一対の取り付け構造を示す平面図であり、図５は、図４において右側の取り付け構造を拡大して示す部分拡大平面図である。なお、説明の便宜上、右側の取り付け構造のみを拡大して図５において示しているが、左側の取り付け構造は、右側の取り付け構造と左右対称となっているため、左側の取り付け構造の部分拡大平面図は省略している。
【００１８】
上述のように、建築物内部の内壁５０には、本体２の長方形の外形に適合する壁穴５５が形成されている。すなわち、本体２の長方形の外形寸法は、壁穴５５の口径よりも幾分小さめに設定されている。図４及び図５に示されるように、本体２の左右の各側面４の外面の後方側には横断面Ｌ字状のフランジ部５がそれぞれ取り付けられている。フランジ部５は、本体２の左右の各側面４の外面に沿って上下方向（仏壇１の高さの上下方向）に延在している長尺状である。各フランジ部５は、長手部分５ａが各側面４の外面に適宜の手段によって固定されて取り付けられ、短手部分５ｂが長手部分５ａに対して略直角に折り曲げられて形成されており、さらに、短手部分５ｂの先端部は、後方に向いて短手部分５ｂに対して略直角に折り曲げられ、長手部分５ａと略平行になって延在して形成されている。
【００１９】
本体２は、左右一対の調節固定部材６によって内壁５０に取り付けられるようになっている。具体的に述べると、各調節固定部材６は、固定本体部７と、複数の調節ボルト８とによって構成されている。固定本体部７は、両端が略直角に折り曲げられて、前後方向（仏壇１の奥行方向）において対向するように前端部７ａと後端部７ｂが形成された横断面がコ字状の部材であって、フランジ部５と同様に、上下方向（仏壇１の高さの上下方向）に延在している長尺状の部材である。
【００２０】
調節ボルト８は、固定本体部７の後端部７ｂに形成されたねじ穴（図示せず）と螺合する軸部８ａと、軸部８ａの先端部に設けられた押圧部８ｂとを有している。固定本体部７の後端部７ｂに形成されたねじ穴（図示せず）は、上下方向（仏壇１の高さの上下方向）において所定の間隔で調節ボルト８の数以上の数で複数形成されている。図１に示されるように、本実施形態においては、固定本体部７の後端部７ｂに形成されたねじ穴は、上下方向（仏壇１の高さの上下方向）において一定の間隔で５つ形成されており、各ねじ穴に調節ボルト８が螺合されている。押圧部８ｂは、固定本体部７の前端部７ａとの協働によって内壁５０の壁穴５５の縁部分５０ａを挟持するようになっている。
【００２１】
また、フランジ部５の短手部分５ｂの内面と、固定本体部７の前端部７ａの外面との間には、一対の面ファスナー９、１０が設けられている。一方の面ファスナー９は、固定本体部７の前端部７ａの外面に設けられ、他方の面ファスナー１０は、フランジ部５の短手部分５ｂの内面に設けられており、面ファスナー９と面ファスナー１０は、互いに当接して押圧接着されるようになっている。なお、一対の面ファスナー９、１０は、上下方向（仏壇１の高さの上下方向）において各調節ボルト８の押圧部８ｂと対向する位置に設けられている。
【００２２】
次に、仏壇１の本体２の内壁５０に対する取り付けについて説明する。まず、調節固定部材６を内壁５０の壁穴５５の縁部分５０ａに取り付ける。より具体的に述べると、各調節ボルト８が固定本体部７の後端部７ｂに形成されたねじ穴（図示せず）に軸部８ａが螺合された状態にある固定本体部７を、緩めた状態の調節ボルト８の押圧部８ｂと固定本体部７の前端部７ａとの間に内壁５０の壁穴５５の縁部分５０ａが挿入されるように、内壁５０の壁穴５５の縁部分５０ａに対して配置する。この配置状態で、各調節ボルト８を適宜の手段によって締め付け方向に回動させ、押圧部８ｂと、固定本体部７の前端部７ａとの協働によって内壁５０の壁穴５５の縁部分５０ａを挟持する。これによって、調節固定部材６は、内壁５０の壁穴５５の縁部分５０ａに取り付けられる。その後、面ファスナー９と面ファスナー１０とが互いに当接して押圧接着されるまで、建築物内部の内壁５０に形成された壁穴５５に対して本体２の背面側を挿入する。この挿入によって、仏壇１の本体２の背面側が壁穴５５に取り付けられる。この取り付け状態において、図４及び図５によく示されているように、外壁５１の内面と本体２の背面との間には間隙５２が形成されている。すなわち、仏壇１は、本体２の背面と外壁５１の内面との間に所望の奥行方向の間隙が形成されるように、内壁５０の壁穴５５に埋め込められて取り付けられている。内壁５０の内側面から埋め込み方向に向いた本体２の背面側の壁穴５５への埋め込み量は、埋め込み型仏壇１の奥行寸法の略１／４乃至１／２の範囲になるように設定されることができ、好ましくは、埋め込み型仏壇１の奥行寸法の略１／３に設定することができる。図示の実施形態では、仏壇１の奥行寸法（扉３の前面から本体２の背面までの寸法）が１４８ｍｍであり、本体２の背面側を内壁５０の室内側壁面から４８ｍｍの位置まで壁穴５５に埋め込められている。そして、内壁５０の厚さが１２．５ｍｍであり、内壁５０と外壁５１との間隔は４０ｍｍである。従って、実施の形態では、４．５ｍｍの間隙５２が外壁５１の内面と本体２の背面との間に形成されている。
【００２３】
次に、扉３についてより具体的に説明する。上述の通り、扉３は、左側扉３ａと右側扉３ｂとで構成されている。左側扉３ａ及び右側扉３ｂは、蝶番１３によって、本体２に取り付けられたフランジ部５の短手部分５ｂの前面に回動可能にそれぞれ取り付けられている。蝶番１３は、上下方向（仏壇１の高さの上下方向）において所定の間隔で複数設けられており、図示の実施形態では、最大開閉角度は、略９０度に設定されている。すなわち、図４において実線で示される左側扉３ａ及び右側扉３ｂの閉じた状態と、破線で示される左側扉３ａ及び右側扉３ｂの完全に開いた状態とのなす角度が略９０度に設定されており、左側扉３ａ及び右側扉３ｂは、蝶番１３を中心にして、実線で示される左側扉３ａ及び右側扉３ｂの閉じた状態から破線で示される左側扉３ａ及び右側扉３ｂの完全に開いた状態まで観音開きのように回動して開くことができる。
【００２４】
また、扉３の左側扉３ａ及び右側扉３ｂの前面には、上下方向（仏壇１の高さの上下方向）に延びた複数のスリットが形成された化粧パネル１４が取り付けられていて、左側扉３ａ及び右側扉３ｂは飾り扉を構成している。この化粧パネルは、例えば、内壁５０の室内側壁面と調和するようなデザインにすることにより、壁面インテリアとして体を成すことができる。
【００２５】
次に、本体２の内部空間について説明する。図３に示されるように、本体２の内部には、安置物、仏飯器、茶台、香炉、燭台などの仏具等が収納されるようになっており、図示の実施形態では、固定棚１５と、前後方向（奥行方向）に摺動可能なスライド棚１６とが設けられており、さらに、スライド棚１６と本体２の下面との間には、脱着可能な収納ボックス１７が収納されている。収納ボックス１７には取っ手１７ａが設けられている。スライド棚１６は、周知な機構によって前後方向（奥行方向）に摺動させることができる。例えば、図６及び図７に示されるように、スライド棚１６の左右両側面に前後方向（奥行方向）に延在したライン状のガイド溝１８を形成し、スライド棚１６と対向する本体２の側面に各ガイド溝１８に係合する係合突出部（図示せず）をそれぞれ設けることにより、スライド棚１６を前後方向（奥行方向）に摺動可能させることができる。さらに、スライド棚１６の下面後方側には、左右一対のストッパー１９が設けられている。このストッパー１９は、本体２側に設けられた係止部２０（図７参照）に係合するようになっており、ストッパー１９が本体２側の係止部２０に係合することにより、スライド棚１６の前方（手前）方向へのスライド移動が防止されるようになっている。ストッパー１９と係止部２０との位置関係を調整することにより、所望の前方方向へのスライド移動距離（前方へのスライド棚１６の引き出し量）を設定することができる。図示の実施形態では、前方へのスライド棚１６の引き出し量は略９０ｍｍに設定されている。
【００２６】
仏壇１の使用時では、まず、左側扉３ａ及び右側扉３ｂを完全に開いた状態にし、その後、スライド棚１６を、ストッパー１９が係止部２０（図７参照）に係合するまで前方方向へ引き出し、その引き出されたスライド棚１６上に仏具を配置する。一方、仏壇１の使用が終了したら、スライド棚１６上の仏具等を整頓し、スライド棚１６を奥行方向において後方方向に摺動させて収納する。その後、左側扉３ａ及び右側扉３ｂを閉じる。
【００２７】
上記実施形態では、本体２の内部空間には、固定棚１５、スライド棚１６及び収納ボックス１７がそれぞれ一つずつ設けられているが、これに限定されない。また、上記実施形態では、仏壇１は、扉３を備えているが、扉３を備えていなくてもよい。また、仏壇１が扉３を備えている場合、上述のようないわゆる観音開きのように回動して開く左右一対の扉に限らず、任意の開閉方式の扉にすることができる。
【産業上の利用可能性】
【００２８】
本発明は、建築物の内壁に壁穴を形成し、その壁穴に仏壇を取り付けて埋め込み型（ウォールイン）仏壇にしたい場合に利用可能性を有する。
【符号の説明】
【００２９】
１      埋め込み型仏壇
２      本体
３      扉
３ａ    左側扉
３ｂ    右側扉
４      側面
５      フランジ部
５ａ    長手部分
５ｂ    短手部分
６      調節固定部材
７      固定本体部
７ａ    前端部７ａ
７ｂ    後端部
８      調節ボルト
８ａ    軸部
８ｂ    押圧部
９      面ファスナー
１０      面ファスナー
１１      ＬＥＤ照明器具
１２      照明スイッチ
１３      蝶番
１４      化粧パネル
１５      固定棚
１６      スライド棚
１７      収納ボックス
１７ａ    取っ手
１８      ガイド溝
１９      ストッパー
２０      係止部
５０      内壁
５０ａ    縁部分
５１      外壁
５２      間隙
５５      壁穴
【図１】
0006545027.tif 000002
【図２】
0006545027.tif 000003
【図３】
0006545027.tif 000004
【図４】
0006545027.tif 000005
【図５】
0006545027.tif 000006
【図６】
0006545027.tif 000007
【図７】
0006545027.tif 000008